(57)【要約】      （修正有）【課題】新規なデュプレックスミニルーセントコネクタ（ＬＣ）コネクタを提供する。【解決手段】光ファイバコネクタ４１０は、本体と、第１のファイバフェルールと、第２のファイバフェルールとを含み得る。第１のファイバフェルールは、本体のモジュール側端部から本体の長さ方向に延在し得る。第２のファイバフェルールは、本体の幅方向において第１のファイバフェルールから離間して本体のモジュール側端部から本体の長さ方向に延在し得る。光電子通信モジュール４００のポート４０８で受容されるように構成された本体の部分の幅方向における最大幅は、光電子通信モジュール４００のファイバ側端部の幅の半分未満であり得る。【選択図】図４Ａ
2020091486.tif 000002
【特許請求の範囲】
【請求項１】
本体のファイバ側端部において光ファイバと結合している本体であって、前記本体は、
その幅方向に互いに離間する２つの対向する側壁と、
前記２つの対向する側壁に含まれる２つの隆起キーと、を備え、
前記２つの隆起キーの各々は、前記２つの対向する側壁のうちの対応する側壁の長さの少なくとも一部に延び、前記２つの対向する側壁から互いに反対側に延在し、前記２つの隆起キーの各々は、前記２つの対向する側壁のうちの対応する側壁の長さと直交する方向に前記２つの対向する側壁の対応する側壁から外側に延在する、本体と、
前記本体のモジュール側端部から前記本体の長さ方向に延在する第１のファイバフェルールであって、光電子通信モジュールの第１の光学サブアセンブリのポートに対して光学的に位置合わせされるように構成される、第１のファイバフェルールと、
前記本体の幅方向に前記第１のファイバフェルールから離間して前記本体の前記モジュール側端部から前記本体の前記長さ方向に延在する第２のファイバフェルールであって、前記光電子通信モジュールの第２の光学サブアセンブリのポートに対して光学的に位置合わせされるように構成される、第２のファイバフェルールと、を備え、
前記第１のファイバフェルールと前記第２のファイバフェルールとは、前記本体の前記２つの隆起キーの間に挟まれた空間に配置される、光ファイバコネクタであって、
前記光電子通信モジュールのデュプレックスポートで受容されるように構成された前記本体の部分の前記幅方向の最大幅は、前記光電子通信モジュールのファイバ側端部の幅の半分未満であり、前記本体の部分の前記最大幅は、前記２つの隆起キーの外表面間の距離である、光ファイバコネクタ。
【請求項２】
前記光電子通信モジュールは、クワッド小型フォームファクタプラガブル（ＱＳＦＰ）モジュールを含み、
前記ＱＳＦＰモジュールの前記ファイバ側端部の幅は、１８．３５ミリメートル（ｍｍ）である、請求項１に記載の光ファイバコネクタ。
【請求項３】
前記本体の部分の前記最大幅は、８．５ｍｍ以下である、請求項２に記載の光ファイバコネクタ。
【請求項４】
前記本体の部分の前記最大幅は、７．０ｍｍ以下である、請求項３に記載の光ファイバコネクタ。
【請求項５】
前記２つの対向する側部を接続する上側と、
前記上側から上方に延在するラッチタブと、をさらに備える、請求項１に記載の光ファイバコネクタ。
【請求項６】
前記光ファイバコネクタは、デュプレックスミニルーセントコネクタ（ＬＣ）光ファイバコネクタを含む、請求項１に記載の光ファイバコネクタ。
【請求項７】
前記第１のファイバフェルールおよび前記第２のファイバフェルールの各々は、ＬＣ光ファイバコネクタに使用される標準ルーセントコネクタ（ＬＣ）フェルールを含む、請求項１に記載の光ファイバコネクタ。
【請求項８】
前記２つの隆起キーの各々は、前記２つの対向する側壁のうちの対応する側壁に対して０．５ミリメートルだけ隆起している、請求項１に記載の光ファイバコネクタ。
【発明の詳細な説明】
【技術分野】
【０００１】
本明細書で議論する実施形態は、デュプレックスミニルーセントコネクタ（ＬＣ）コネクタに関連する。
【背景技術】
【０００２】
本明細書において別様に示されない限り、本明細書に記載された内容は、本願の特許請求の範囲に対する先行技術ではなく、このセクションに含めることによって従来技術であると認められるものではない。
【０００３】
光電子送受信機モジュールなどの通信モジュールは、光信号の送信および受信に従事する様々な構成要素を含み得る。構成要素の一部は、光電子送受信機モジュールのシェル内に収納され得る。このような構成要素の例には、送信機光学サブアセンブリ（ＴＯＳＡ）および／または受信機光学サブアセンブリ（ＲＯＳＡ）が含まれ得る。光電子送受信機モジュール自体は、通信ネットワークの一構成要素として機能するホストデバイス内で動作可能に受容される。
【０００４】
他の通信モジュールとの光通信に従事するため、光電子送受信機モジュールは、１つ以上のコネクタ付き光ファイバと動作可能に接続し得る。光電子送受信機モジュールは、光ファイバ（複数可）のコネクタを受容するように構成された送信ポートおよび／または受信ポートを含み得る。光信号は、光ファイバ（複数可）を介して光電子送受信機モジュールによって受信および／または送信され得る。
【図面の簡単な説明】
【０００５】
【図１Ａ】例示的な光電子通信モジュール（以下「モジュール」）の斜視図。
【図１Ｂ】例示的な光電子通信モジュール（以下「モジュール」）のファイバ側端面図。
【図２Ａ】図１Ａおよび図１Ｂのモジュールのプルタブおよびスライダの斜視図。
【図２Ｂ】図１Ａおよび図１Ｂのモジュールのプルタブおよびスライダのファイバ側端面図。
【図３Ａ】図１Ａおよび図１Ｂのコネクタおよび光ファイバの斜視図。
【図３Ｂ】図１Ａおよび図１Ｂのコネクタおよび光ファイバのモジュール側端面図。
【図４Ａ】別の例示的な光電子通信モジュール（以下「モジュール」）の斜視図。
【図４Ｂ】別の例示的な光電子通信モジュール（以下「モジュール」）のファイバ側端面図。
【図５Ａ】図４Ａおよび図４Ｂのモジュールのプルタブおよびスライダの斜視図。
【図５Ｂ】図４Ａおよび図４Ｂのモジュールのプルタブおよびスライダのファイバ側端面図。
【図６Ａ】図４Ａおよび図４Ｂのコネクタおよび光ファイバの斜視図。
【図６Ｂ】図４Ａおよび図４Ｂのコネクタおよび光ファイバのモジュール側端面図。
【図７Ａ】図４Ａおよび図４Ｂのモジュールのハウジングの斜視図。
【図７Ｂ】図４Ａおよび図４Ｂのモジュールのハウジングの断面図。
【発明を実施するための形態】
【０００６】
本明細書において特許請求される主題は、任意の欠点を解決するか、または、上記のような環境でのみ動作する、実施形態に限定されるものではない。むしろ、この背景は、本明細書に記載のいくつかの実施形態を実施し得る１つの例示的な技術領域を示すために提供されるに過ぎない。
【０００７】
この概要は、以下の詳細な説明でさらに説明される簡略化形式の概念選択を紹介するために提供される。この概要は、特許請求された主題の主要な特徴または本質的な特性を識別することを意図するものではなく、特許請求された主題の範囲を決定する際の助けとして使用されることを意図するものでもない。
【０００８】
本明細書に記載のいくつかの例示的な実施形態は、一般にデュプレックスミニＬＣコネクタに関連し得る。
例示的な実施形態では、光ファイバコネクタは、本体と、第１のファイバフェルールと、第２のファイバフェルールと、を含み得る。第１のファイバフェルールは、本体のモジュール側端部から本体の長さ方向に延在し得る。第２のファイバフェルールは、本体の幅方向において第１のファイバフェルールから離間して本体のモジュール側端部から本体の長さ方向に延在し得る。光電子通信モジュールのポートで受容されるように構成された本体の部分の幅方向における最大幅は、光電子通信モジュールのファイバ側端部の幅の半分未満であり得る。
【０００９】
別の例示的な実施形態では、光電子通信モジュールは、ハウジングと、第１のデュプレックスポートおよび第２のデュプレックスポートと、プルラッチと、を含み得る。第１のデュプレックスポートは、ハウジングのファイバ側端部に形成され得、かつ、第１のデュプレックス光ファイバコネクタを受容するように構成され得る。第２のデュプレックスポートは、ハウジングの幅方向において第１のデュプレックスポートから離間されたハウジングのファイバ側端部に形成され得、かつ、第２のデュプレックス光ファイバコネクタを受容するように構成され得る。プルタブラッチは、スライダおよびプルタブを含み得る。スライダは、ハウジングのファイバ側端部の上部、２つの側部および底部を囲み得る。プルタブは、スライダの上部の少なくとも一部の上にオーバーモールドされ得、かつ、スライダの２つの側部および底部のいずれの上にもオーバーモールドされなくともよい。
【００１０】
本発明のさらなる特徴および利点は、以下の説明に記載され、その一部は説明から明らかになるか、または本発明の実施によって学習され得る。本発明の特徴および利点は、添付の特許請求の範囲で特に指摘された器具および組合せによって実現され、取得され得る。本発明のこれらおよび他の特徴は、以下の説明および添付の特許請求の範囲からより完全に明らかになるか、または以下に記載された本発明の実施によって学習され得る。
【００１１】
本発明の上記および他の利点および特徴をさらに明確にするために、本発明のより具体的な説明が、添付の図面に示されたその具体的な実施形態を参照することによって与えられるであろう。これらの図面は、本発明の典型的な実施形態のみを示し、したがって、その範囲を限定するものと考えるべきではないことが理解される。本発明は、以下の添付図面の使用を通じてさらに具体的かつ詳細に記載および説明されるであろう。
【００１２】
本明細書に記載のいくつかの実施形態は、光電子通信モジュールのデュアルデュプレックス光インターフェースの一部として、別のこのようなデュプレックスミニＬＣコネクタと一緒に実装され得るデュプレックスミニＬＣコネクタに関する。光電子通信モジュールは、クワッド小型フォームファクタプラガブル（ＱＳＦＰ）モジュールまたは他の適切な光電子通信モジュールを含み得る。
【００１３】
本開示のいくつかの例示的な実施形態の様々な態様を説明するために、以下で図面への参照が行われる。図面は、このような例示的な実施形態の図表および概略表現であり、本開示を限定するものではなく、また、それらは必ずしも縮尺通りに描かれていない。
【００１４】
図１Ａおよび図１Ｂは、例示的な光電子通信モジュール（以下「モジュール」）１００の斜視図およびファイバ側端面図を含む。モジュール１００は、ＱＳＦＰモジュールを含み得、つまり、モジュール１００は、ＱＳＦＰマルチソースアグリーメント（ＭＳＡ）に準拠し得る。モジュール１００は、ハウジング１０２、プルタブ１０４およびスライダ１０６を含む。
【００１５】
プルタブ１０４は、スライダ１０４に結合され、プルタブ１０４を引くことにより、ホストデバイスからモジュール１００を取り外すために使用され得る。スライダ１０６（時にはラッチフォロワと称される）は、プルタブ１０４によってそこに及ぼされる十分な力に応答して、（相対運動の許容範囲内で）ハウジング１０２に対して移動するように構成され、これにより、ホストデバイスからモジュール１００をラッチ解除する。米国特許第６９０８３２３号は、このようなスライダが動作し得る方法を一般的に記載するが、３２３特許のスライダは、図１Ａおよび図１Ｂのモジュール１００で動作するプルタブとは対照的に動作するベールである。
【００１６】
図示のようなハウジング１０２は、プリント回路基板アセンブリ（ＰＣＢＡ）、ＴＯＳＡおよびＲＯＳＡなどの様々な構成要素を配置し得るキャビティを形成するために一緒に結合された上部シェルおよび底部シェルを含む。他の実施形態では、ハウジング１０２は、その中に配置される前述の構成要素のうちの１つ以上を伴う単一片を含み得る。デュプレックスポート１０８（例えば、双方向ポート）が、ハウジング１０２内に形成される。デュプレックスポート１０８は、デュプレックス光ファイバコネクタ（以下「コネクタ」）１１０をその内部に受容するような大きさであり、別様に構成される。コネクタ１１０は、デュプレックス標準ＬＣコネクタを含み得る。
【００１７】
コネクタ１１０は、コネクタのモジュール側端部から外側に延在する２つのフェルールを含む。コネクタ１１０のフェルールの一方は、ハウジング１０２内に配置されたＴＯＳＡのポートに対して光学的に位置合わせされるように構成され、コネクタ１１０のフェルールの他方は、ハウジング１０２内に配置されたＲＯＳＡのポートに対して光学的に位置合わせされるように構成されている。２つのフェルールは、ＴＯＳＡによって放射された光信号を光ネットワークに運ぶため、または、光ネットワークからＲＯＳＡに光信号を運ぶための光ファイバを含み得る。２つのフェルールの各々は、コネクタ１１０のファイバ側端部から外側に延在する２つの光ファイバ１１２のうちの対応する光ファイバに対して光学的に位置合わせされる。ＴＯＳＡに対して位置合わせされるフェルールに対して位置合わせされた光ファイバ１１２は、図１Ｂにおいて「ＴＸ」とラベル付けされる一方、ＲＯＳＡに対して位置合わせされるフェルールに対して位置合わせされた光ファイバ１１２は、図１Ｂにおいて「ＲＸ」とラベル付けされる。
【００１８】
図１Ｂはさらに、図１Ａおよび図１Ｂのモジュール１００およびコネクタ１１０に関連する様々な測定値を示す。具体的には、モジュール幅ｗｍｏｄｕｌｅと称されるモジュール１００の幅は、１８．３５ミリメートル（ｍｍ）であり得、コネクタ幅ｗｃｏｎｎｅｃｔｏｒと称されるコネクタ１１０の幅は、約１２．５ｍｍであり得る。コネクタ幅ｗｃｏｎｎｅｃｔｏｒは、モジュール幅ｗｍｏｄｕｌｅの半分よりはるかに大きいので、モジュール１００のファイバ側端部にコネクタ１１０の２つを収容することは不可能であろう。本明細書に記載の実施形態は、２つのこのようなコネクタをモジュール１００などの光電子通信モジュールのファイバ側端部に収容するのに十分に小さい再設計されたコネクタにも関連し、光電子通信モジュールはまた、例えばモジュール１００に比べて再設計された光電子通信モジュールの帯域幅を２倍にするために２つのＲＯＳＡおよび２つのＴＯＳＡを含むように再設計され得る。
【００１９】
図２Ａおよび図２Ｂは、図１Ａおよび図１Ｂのモジュール１００のプルタブ１０４およびスライダ１０６の斜視図およびファイバ側端面図を含む。プルタブ１０４は、スライダ１０６のファイバ側端部の上部および側部上にオーバーモールド（例えば、その上に成形）されたプラスチックまたはゴムを含み得、スライダ１０６は、成形された板金を含み得る。図２Ｂに示されるように、スライダ１０６のファイバ側端部の側部のプルタブ１０４のオーバーモールドプラスチック／ゴムにより、プルタブ幅ｗｐｕｌｌ  ｔａｂと称される組合されたプルタブ１０４およびスライダ１０６の開口幅は、約１４．６ｍｍである。図１Ａおよび図１Ｂのモジュール１００において、図２Ｂに示される約１４．６ｍｍのプルタブ幅ｗｐｕｌｌ  ｔａｂは、モジュール１００により収容することができる光ファイバコネクタ（または複数のコネクタ）の最大幅を制限し得る。
【００２０】
図３Ａおよび図３Ｂは、図１Ａおよび図１Ｂのコネクタ１１０および光ファイバ１１２の斜視図およびモジュール側端面図を含む。コネクタ１１０のフェルールは、図３Ａおよび図３Ｂにおいて３０２で示されている。図３Ｂはさらに、約１２．５ｍｍであり得るコネクタ１１０のコネクタ幅ｗｃｏｎｎｅｃｔｏｒ、および、約６．２５ｍｍであり得るフェルール３０２間のピッチ（例えば、中心から中心までの間隔）を示す。
【００２１】
図４Ａおよび図４Ｂは、本明細書に記載の少なくとも１つの実施形態に従って構成された別の例示の光電子通信モジュール（以下「モジュール」）４００の斜視図およびファイバ側端面図を含む。モジュール４００は、ＱＳＦＰモジュールを含み得、すなわちモジュール４００は、ＱＳＦＰ  ＭＳＡに準拠し得る。他の実施形態では、モジュール４００は、他のＭＳＡに準拠し得、または、いずれのＭＳＡに準拠せずともよい。モジュール４００は、ハウジング４０２、プルタブ４０４およびスライダ４０６を含む。
【００２２】
プルタブ４０４は、スライダ４０４に結合され、プルタブ４０４を引くことにより、ホストデバイスからモジュール４００を取り外すために使用され得る。スライダ４０６（時にはラッチフォロワと称される）は、プルタブ４０４によってその上に及ぼされるのに十分な力に応答して、（相対運動の許容範囲内で）ハウジング４０２に対して移動するように構成され、これにより、ホストデバイスからモジュール４００をラッチ解除する。上記で示したように、３２３特許は、このようなスライダが動作し得る方法を一般的に記載するが、３２３特許のスライダは、図４Ａおよび図４Ｂのモジュール４００で動作するプルタブとは対照的に動作するベールである。図示のようなハウジング４０２は、ＰＣＢＡ、２つのＴＯＳＡおよび２つのＲＯＳＡなどの様々な構成要素を配置し得るキャビティを形成するために一緒に結合された上部シェル４０２Ａおよび底部シェル４０２Ｂを含む。他の実施形態では、ハウジング４０２は、その中に配置される前述の構成要素でキャビティを画定する一体シェルを含み得る。２つのデュプレックスポート４０８は、ハウジング４０２のファイバ側端部に形成されている。デュプレックスポート４０８の各々は、２つのデュプレックス光ファイバコネクタ（以下「コネクタ（複数可）」）４１０のうちの対応するコネクタをその内部に受容するような大きさであり、別様に構成される。コネクタ４１０の各々は、デュプレックスミニＬＣコネクタを含み得る。
【００２３】
コネクタ４１０の各々は、外側に、例えばコネクタ４１０の長さ方向に、コネクタ４１０のモジュール側端部から延在する２つのフェルールを含む。各々のコネクタ４１０のフェルールの一方は、ハウジング４０２内に配置された２つのＴＯＳＡのうちの対応するＴＯＳＡのポートに対して光学的に位置合わせされるように構成されている一方、各々のコネクタ４１０のフェルールの他方は、ハウジング４０２内に配置された２つのＲＯＳＡのうちの対応するＲＯＳＡのポートに対して光学的に位置合わせされるように構成されている。フェルールの各々は、対応するＴＯＳＡによって放射された光信号を光ネットワークへと運ぶため、または、光信号を光ネットワークからＲＯＳＡのうちの対応するＲＯＳＡへと運ぶための光ファイバを含み得る。フェルールの各々は、コネクタ４１０のファイバ側端部から外側に延在する４つの光ファイバ４１２（例えば、コネクタ４１０の各々から延在する２つの光ファイバ４１２）のうちの対応する光ファイバに対して光学的に位置合わせされている。ＴＯＳＡに対して位置合わせされるフェルールに対して位置合わせされた光ファイバ４１２は、図４Ｂにおいて「ＴＸ」とラベル付けされている一方、ＲＯＳＡに対して位置合わせされるフェルールに対して位置合わせされた光ファイバ４１２は、図４Ｂにおいて「ＲＸ」とラベル付けされている。
【００２４】
ＴＯＳＡおよびＲＯＳＡは、図４Ｂに示すように交互パターンで配置され得る。他の実施形態では、ＴＯＳＡおよびＲＯＳＡは、他のパターンで配置され得る。例えば、２つのＴＯＳＡは、互いに並んで配置され得、２つのＲＯＳＡは、２つのＴＯＳＡの左または右のどちらかに互いに並んで配置され得る。あるいは、２つのＴＯＳＡは、２つのＴＯＳＡの両側に１つずつ配置されている２つのＲＯＳＡの真ん中で互いに並んで配置され得る。あるいは、２つのＲＯＳＡは、２つのＲＯＳＡの両側に１つずつ配置されている２つのＴＯＳＡの真ん中で互いに並んで配置され得る。
【００２５】
図４Ｂはさらに、図４Ａおよび図４Ｂのモジュール４００およびコネクタ４１０に関連する様々な測定値を示す。具体的には、モジュール幅ｗｍｏｄｕｌｅと称されるモジュール４００の幅は、図１Ａおよび図１Ｂと同様に１８．３５ｍｍであり得、集約コネクタ幅ｗｃｏｎｎｅｃｔｏｒｓと称される、間に空間を伴う両コネクタ４１０の幅は、約１６ｍｍであり得る。図４Ａおよび図４Ｂのモジュール４００の帯域幅は例えば、モジュール４００がモジュール１００の２倍の数のコネクタ４１０とインターフェースすることができる２倍の数のＲＯＳＡおよびＴＯＳＡを含む限り、図１Ａおよび図１Ｂのモジュール１００の帯域幅の２倍であり得る。
【００２６】
図５Ａおよび図５Ｂは、本明細書に記載の少なくとも１つの実施形態に従って構成された図４Ａおよび図４Ｂのモジュール４００のプルタブ４０４およびスライダ４０６の斜視図およびファイバ側端面図を含む。プルタブ４０４は、スライダ４０６のファイバ側端部の上部にオーバーモールドされたプラスチックまたはゴムを含み得、スライダ４０６は、成形された板金を含み得る。他の実施形態では、プルタブ４０４および／またはスライダ４０６は、プラスチック、ゴムおよび／または成形された板金以外の材料を含み得る。
【００２７】
本例では、プルタブ４０４は、図２Ａおよび図２Ｂの実装とは対照的に、スライダ４０６のファイバ側端部の側部または底部上にオーバーモールドされていない。スライダ４０６の側部にプルタブ４０４のプラスチックまたはゴム（または他の材料）が存在しないことにより、図２Ｂに示すプルタブ１０４およびスライダ１０６の組合せの開口幅（例えば、プルタブ幅ｗｐｕｌｌ  ｔａｂ）と比較してプルタブ４０４およびスライダ４０６の組合せの開口幅が増大する。具体的には、スライダ幅ｗｓｌｉｄｅｒと称される図５Ｂのプルタブ４０４およびスライダ４０６の組合せの開口幅は、図２Ｂのプルタブ幅ｗｐｕｌｌ
ｔａｂについての約１４．６ｍｍに比べて約１７．３５ｍｍであり得る。結果として、プルタブ４０４およびスライダ４０６を含むモジュール４００は、プルタブ１０４およびスライダ１０６を伴うモジュール１００によって収容可能な最大幅よりも大きな最大幅（例えば、複数のコネクタの集約において）を伴うより大きなコネクタおよび／または複数のコネクタを収容することができる。代替的に、破線５０２で示すように、１つ以上の切欠きまたは他の特徴がスライダ４０６に形成され得（以下「切欠き５０２」）、図５Ａおよび図５Ｂのプルタブ４０４およびスライダ４０６の組合せによって収容されることができるよりもさらに大きな最大幅を収容する。
【００２８】
図６Ａおよび図６Ｂは、本明細書に記載の少なくとも１つの実施形態に従って構成された図４Ａおよび図４Ｂの１つのコネクタ４１０および２つの光ファイバ４１２の斜視図およびモジュール側端面図を含む。コネクタ４１０のフェルールは、図６Ａおよび図６Ｂにおいて６０２で示されている。フェルール６０２のそれぞれは、ＬＣ光ファイバコネクタに使用される標準ＬＣフェルールを含み得る。図６Ｂはさらに、コネクタ幅ｗｃｏｎｎｅｃｔｏｒと称されるコネクタ４１０の幅が約７ｍｍであり得、フェルール６０２間のピッチ（例えば、中心から中心までの間隔）が約３．８ｍｍであり得ることを示す。
【００２９】
より詳細には、コネクタ４１０は、本体（またはハウジング）６０４を含む。フェルール６０２は、本体６０４の長さ方向に本体６０４のモジュール側端部から延在している。２つのフェルール６０２は、本体６０４の幅方向に互いに離間されている。２つのコネクタ４１０をモジュール４００のファイバ側端部に収容できるように、コネクタ４１０の最大幅を、モジュール４００のファイバ側端部の幅の半分以下（以内）に限定し得る。例えば、モジュール４００が１８．３５ｍｍのそのファイバ側端部の幅を伴うＱＳＦＰモジュールである場合、コネクタ４１０の最大幅を、８．５ｍｍ以下、または７．０ｍｍ以下、または８．５ｍｍ未満の何らかの他の値などの、１８．３５ｍｍの半分以下とし得る。
【００３０】
本明細書で使用されるように、コネクタ４１０の「最大幅」は、２つのデュプレックスポート４０８の一方で受容されるコネクタ４１０の部分の最大幅を指し得、任意選択的にはコネクタ４１０のラッチタブ６０６などのコネクタ４１０の他の部分への適用またはその包含を伴わずともよく、ラッチタブ６０６は、２つのデュプレックスポートの一方で受容されるコネクタ４１０の部分の最大幅よりも大きな幅を有し得る。
【００３１】
いくつかの実施形態において、コネクタ４１０は、本体６０４内に配置された２つのコイルばね（図示せず）、例えば、本体６０４内に配置された１つのフェルール６０２当たり１つのコイルばねを含む。コイルばねは、対応するＴＯＳＡまたはＲＯＳＡに対して、または少なくともそれに向けて、フェルール６０２をバイアスするように構成され得る。コイルばねは、フェルール６０２と同軸であり得る。本体６０４内にコイルばねを収容するために、本体６０４は、本体６０４の２つの対向する側壁６１０に形成された２つの隆起キー６０８または側壁延長部を含み得る。隆起キー６０８のそれぞれは、２つの対向する側壁６１０のうちの対応する側壁から離れて延在し得る。図４Ａおよび図４Ｂのモジュール４００の２つのデュプレックスポート４０８の１つに受容されるように構成されたコネクタ４１０の部分の最大幅は、図６Ｂにコネクタ幅ｗｃｏｎｎｅｃｔｏｒ測定値として示す、２つの隆起キー６０８の外表面間の距離を含み得る。２つの隆起キー６０８のそれぞれは、約０．５ｍｍまたは何らかの他の量であり得るオフセット幅ｗｏｆｆｓｅｔだけ、２つの対向する側壁６１０のうちの対応する側壁に対して隆起し得る（例えば、そこから離れて延在し得る）。
【００３２】
２つの隆起キー６０８により、本体６０４がその内部にコイルばねを収容することができる。２つの隆起キー６０８なしでは、コイルばねが少なくとも部分的に本体６０４の外部に露出されるかもしれない。同時に、対向する側壁６１０全体を外側に拡張するのではなく２つの隆起キー６０８を設けてコイルばねを内部に収容することによって、ハウジング４０２は、デュプレックスポート４０８のうちの対応するポートにコネクタ４１０を保持するために十分に強く作成され得る。
【００３３】
より詳細には、図７Ａおよび図７Ｂは、本明細書に記載の少なくとも１つの実施形態に従って構成されたハウジング４０２の斜視図および断面図を含む。図７Ｂはさらに、２つのコネクタ４１０の一方を含み、他方はハウジング４０２の様々な態様を視認可能とするために省略されている。図７Ａに示されているように、ハウジング４０２のファイバ側端部７０２は、２つのデュプレックスポート４０８をともに画定する側壁７０４、中央壁７０６および底壁７０８を含む。中央壁７０６は、代替的または追加的にデュプレックスポート４０８の各々についての側壁と称され得る。
【００３４】
チャネル７１０または開口は、側壁７０４および中央壁７０６の各々に形成されている。チャネル７１０は、図７Ａにおいて側壁７０４および中央壁７０６の各々をすべて通って延在するが、他の実施形態では部分的にのみそれらを通って延在し得る。図７Ｂに示すように、ハウジング４０２のチャネル７１０は、コネクタ４１０の隆起キー６０８を収容するように構成されている。特に、各コネクタ４１０の隆起キー６０８のうちの１つが、側壁７０４のうちの対応する側壁のチャネル７１０内に受容されるように構成されている一方、両コネクタ４１０の隆起キー６０８の他方は、中央壁７０６のチャネル内に受容されるように構成されている。
【００３５】
したがって、本明細書に記載のいくつかの実施形態では、小型フォームファクタ光モジュール（例えば、モジュール４００）について高ポート密度光コネクタ（例えば、コネクタ４１０）を収容し得る。代替的にまたは追加的に、プルタブ４０４および／またはスライダ４０６の設計により、高密度アプリケーションにおける最大コネクタ本体幅が可能となる。（側部に沿ってオーバーモールドされたプルタブとは対照的に）モジュールハウジングの側部に沿ってスライダとして成形された板金により、コネクタについてより多くの空間が利用可能となる。代替的にまたは追加的に、本明細書に記載されるコネクタは、コネクタ本体内にコイルばねを収容するために隆起キーまたは側壁延長部を含み得る一方、スライダは、切欠き（例えば、切欠き５０２）を含み得、および／または、モジュールハウジングは、コネクタの隆起キーまたは側壁延長部を収容するために側壁または中央壁チャネル（例えば、チャネル７１０）を含み得る。
【００３６】
図４Ａ〜図７Ｂに関連して説明されたコネクタ４１０は、デュプレックスミニＬＣコネクタとして記載されている。本明細書に記載される原理は、ＬＣコネクタに代えてまたはそれに加えて他の形式の光ファイバコネクタに適用され得、同様にそのような他の形式の光ファイバコネクタを小型化する。さらに、図４Ａ〜図４Ｂに関連して説明したモジュール４００は、ＱＳＦＰモジュールとして記載されている。本明細書に記載の原理は、他のフォームファクタを伴うモジュールおよび／または他のＭＳＡに準拠したモジュールにも適用され得る。
【００３７】
本明細書に記載のすべての例および条件付き言語は、当該技術の促進に発明者が貢献する本開示および概念を理解する上で読者を支援する教育的目的を意図し、そのような具体的に記載された例および条件に限定されないものとして解釈されるべきである。本開示の実施形態を詳細に説明してきたが、様々な変更、置換および改変を、本開示の精神および範囲を逸脱することなくこれに対して行えることが理解されるべきである。
【図１Ａ】
2020091486.tif 000003
【図１Ｂ】
2020091486.tif 000004
【図２Ａ】
2020091486.tif 000005
【図２Ｂ】
2020091486.tif 000006
【図３Ａ】
2020091486.tif 000007
【図３Ｂ】
2020091486.tif 000008
【図４Ａ】
2020091486.tif 000009
【図４Ｂ】
2020091486.tif 000010
【図５Ａ】
2020091486.tif 000011
【図５Ｂ】
2020091486.tif 000012
【図６Ａ】
2020091486.tif 000013
【図６Ｂ】
2020091486.tif 000014
【図７Ａ】
2020091486.tif 000015
【図７Ｂ】
2020091486.tif 000016